(57)【特許請求の範囲】
【請求項１】
実質的に一定の外径を有するとともに、第１壁厚さを有する少なくとも１つの主部と、ガイドチューブの長さの一部に設けられかつ前記第１壁厚さよりも厚い第２壁厚さを有する補強部と、を備える、原子炉燃料アセンブリのためのガイドチューブであって、
前記主部と前記補強部との間に、１００ｍｍを超える長さとされた少なくとも１つの移行領域を備え、
この移行領域においては、前記ガイドチューブの壁厚さは、前記第１壁厚さから前記第２壁厚さにまで、漸次的に変化することを特徴とするガイドチューブ。
【請求項２】
前記ガイドチューブのうちの前記第２壁厚さを有した前記補強部の長さは、前記ガイドチューブの総長さの１０〜３０％であることを特徴とする請求項１記載のガイドチューブ。
【発明の詳細な説明】
【技術分野】
【０００１】
本発明は、原子炉燃料アセンブリのガイドチューブの製造方法、および、そのようなガイドチューブを成形するためのマンドレル、ならびに、そのようにして得られたガイドチューブに関するものである。
【背景技術】
【０００２】
燃料アセンブリ、とりわけ、水冷式原子炉のための燃料アセンブリは、通常、フレームを備えている。フレームの内部には、クラスタをなす複数の燃料ロッドが互いに平行に挿入され維持されている。フレームは、特に、クラスタをなす燃料ロッドに対して平行に設けられたガイドチューブを備えている。ガイドチューブは、フレームの構造用部材と、並置された燃料アセンブリによって構成された原子炉コアの反応性を必要に応じて制御するために使用される吸収ロッドおよび制御ロッドをガイドするための部材と、の双方の役割を果たしている。燃料アセンブリは、直立配置とされた原子炉コア内に配置される。すなわち、そのような状態においては、アセンブリにおけるクラスタをなす燃料ロッド、および、ガイドチューブは、鉛直方向に延在している。原子炉の制御クラスタのうちの吸収ロッドを案内するガイドチューブは、コア内における作動時においてアセンブリのうちのガイドチューブの下端部をなす端部において、断面が縮径した部分あるいは断面が狭くなった部分を有している。この縮径部は、制御ロッドが降下されその後原子炉内で停止するに際して、原子炉の制御ロッドのうちの吸収ロッドが減速されるような領域を形成することを目的としている。この場合の停止は、プログラミングされた停止とすることもできるし、偶然的な停止であっても良い。制御棒の吸収ロッドとガイドチューブの下部縮径部との間において原子炉の冷却流体を抑圧することによって、制御ロッドの減速をもたらすこのようなデバイスは、ダッシュポット効果と称される減速効果により動作する。
【０００３】
燃料アセンブリのガイドチューブの下部は、制御ロッドの降下時に大きな応力を受ける。特に、ガイドチューブの縮径領域において、燃料アセンブリのガイドチューブの内壁と接触している冷却流体の圧縮により大きな応力を受ける。原子炉の動作の移行期においては、アセンブリが降下される際に、アセンブリは、冷却流体により、また、燃料アセンブリの慣性力により、わずかに持ち上げられる。それによって、ガイドチューブの縮径部が湾曲したり、ねじれたりすることがある。ガイドチューブの下部の縮径がチューブのネッキングにより行われている場合には、縮径部は、このように、チューブの構造的に弱い部分を形成することとなる。この場合、壁厚さは、チューブの長さ全体にわたって実質的に一定である。
【０００４】
したがって、制御ロッドの投下によって引き起こされる応力や非定常時における応力に耐え得るように、下端部またはベース部が補強されたようなガイドチューブを使用することが提案されている。第１手段として、ガイドチューブの下端部を、ガイドチューブと同軸とされかつ双方の端部どうしにおいて溶接された管状スリーブにより補強することができる。しかしながら、ジルコニウム合金製ガイドチューブの補強部分において溶接を行うことは、残留応力をもたらし、その結果、ガイドチューブの機械的耐性や腐食耐性が低下することとなる。また、連結される２つのチューブにおいて、軸合わせがうまくいかないことも起こり得る。
【０００５】
よって、仏国特許明細書第２７１４５１６号においては、ガイドチューブのベース部を、一体型の補強ベース部として製造することが提案された。このガイドチューブは、ガイドチューブを燃料アセンブリのターミナル部材に対して固定するための端部領域を除いては、実質的に一定の直径の円筒状外面を有している。そして、ガイドチューブの壁の厚さは、ガイドチューブの全体長さの１０〜３０％の長さとすることができる下部において、厚くされている。
【０００６】
このようなガイドチューブは、厚さが実質的に一定の管状ブランクを準備し、一定の内径を維持したまま、長さの７０〜９０％の部分において厚さを減少させることによって、得られる。ブランクのうちの厚さが元々のままに維持されている部分が、その後、内部に向けて膨径される。これにより、一定の外径とされたチューブが形成される。このような薄肉化および内方膨径は、回転ハンマーリング（hammering）操作によって行うことができる。
【先行技術文献】
【特許文献】
【０００７】
【特許文献１】仏国特許明細書第２７１４５１６号
【特許文献２】特開平０７−３０６２８１号公報
【発明の概要】
【発明が解決しようとする課題】
【０００８】
ジルコニウム合金製ガイドチューブを得るための上記方法は、実行が困難である。
【０００９】
さらに、ガイドチューブのうちの主部またはボディ部と称されブランクの厚さ減少により得られた第１厚さを有する第１部分と、ガイドチューブのうちの内方への膨径により得られた第２部分と、の間には、１０゜程度の傾斜角度の円錐形状の内表面を有した移行領域が存在している。ガイドチューブの円筒状内表面が不連続であることにより、吸収ロッドのガイド性能が低減して、制御ロッドの投下速度を制限することとなる。また、上記のような移行領域は、ガイドチューブの構造的に弱い部分を形成することとなる。
【００１０】
原子炉燃料アセンブリロッドを被覆するジルコニウム合金製のチューブを製造するに際しては、まず、通常のように、ピルグリムまたはピルガーローリングミルにおける圧延により管状ブランクが形成される。複数の連続した圧延操作により、最終形状を有するシースチューブを得ることができる。
【００１１】
この方法は、また、ジルコニウム合金製ガイドチューブの成形にも使用することができる。
【００１２】
しかしながら、現在までのところ、このような方法は、一定直径の円筒状外表面を有するとともに第１厚さとされたボディ部または主部を有しかつ主部の厚さよりも厚い第２厚さとされた下端部を有するガイドチューブの製造には、一切使用されていない。
【課題を解決するための手段】
【００１３】
本発明の目的は、実質的に一定の外径を有するとともに、第１壁厚さを有する少なくとも１つの主部と、ガイドチューブの長さの一部に設けられかつ第１壁厚さよりも厚い第２壁厚さを有する補強部と、を備える、原子炉燃料アセンブリのためのガイドチューブを製造するための方法であるとともに、ピルグリムローリングミルのマンドレル上において管状ブランクを圧延する方法を提供することである。
【００１４】
この目的のために、本発明による方法においては、第１ステージとして、マンドレルの第１部分において、ガイドチューブの外径にまでブランクの外径を減少させるとともに、第１壁厚さおよび第２壁厚さのうちの一方にまでブランクの壁厚さを減少させるように、ブランクの第１部分の圧延を行い、ブランクの軸方向にマンドレルを移動させ、第２ステージとして、第１部分からマンドレルの軸方向に離間したマンドレルの第２部分において、ガイドチューブの外径にまでブランクの外径を減少させるとともに、第１壁厚さおよび第２壁厚さのうちの他方にまでブランクの壁厚さを減少させるように、ブランクの第２部分の圧延を行う。
【図面の簡単な説明】
【００１５】
【図１】従来技術において、一体型に製造された補強ベースを有するガイドチューブを示す軸方向断面図である。
【図２】管状ブランクの圧延時におけるピルグリムローリングミルを示す断面図である。
【図３】本発明によるガイドチューブの製造方法において使用される成形用マンドレルを示す側面図である。
【図４Ａ】本発明によるガイドチューブの製造方法の各ステージにおけるブランクの成形時の、マンドレルとブランクとを示す一部断面を含む側面図である。
【図４Ｂ】本発明によるガイドチューブの製造方法の各ステージにおけるブランクの成形時の、マンドレルとブランクとを示す一部断面を含む側面図である。
【図５】本発明によるガイドチューブの製造時において、ピルグリムローリングミルの出力端において得られた製品を示す軸方向断面図である。
【図６】ピルグリムローリングミルの出力端において得られた圧延製品を示す軸方向断面図であって、ガイドチューブを得るためのカット操作の様子を示している。
【発明を実施するための形態】
【００１６】
本発明を説明するために、添付図面を参照して、本発明による方法およびその方法を実現するために使用される成形用マンドレルならびに得られたガイドチューブについての非限定的な例について以下説明を行う。
【００１７】
図１は、従来技術において、一体型に製造された補強ベースを有するガイドチューブを示す軸方向断面図である。図２は、管状ブランクの圧延時におけるピルグリムローリングミルを示す断面図である。図３は、本発明によるガイドチューブの製造方法において使用される成形用マンドレルを示す側面図である。図４Ａおよび図４Ｂは、本発明によるガイドチューブの製造方法の２ステージにおけるブランクの成形時の、マンドレルとブランクとを示す一部断面を含む側面図である。図５は、本発明によるガイドチューブの製造時において、ピルグリムローリングミルの出力端において得られた製品を示す軸方向断面図である。図６は、ピルグリムローリングミルの出力端において得られた圧延製品を示す軸方向断面図であって、ガイドチューブを得るためのカット操作の様子を示している。
【００１８】
図１には、加圧水型原子炉における燃料アセンブリのガイドチューブを示している。ガイドチューブは、図においては、全体的に参照符号１で示されている。ガイドチューブ１は、ジルコニウム合金製であって、拡径され例えばネジ山付内部孔を有した上部２を除いては、ガイドチューブの長さ全体にわたって一定の直径とされた円筒状外表面を有している。ガイドチューブのこの上部は、付加的に着脱固定手段を使用することにより、燃料アセンブリの上側ターミナル部材に対してガイドチューブを固定するために利用される。ガイドチューブ１は、さらに、内部にネジ山が形成された下端を備えている。この下端により、ガイドチューブを、燃料アセンブリの下側ターミナル部材に対して固定することができる。
【００１９】
ガイドチューブ１は、主部またはボディ部１ａと、下端部１ｂと、を備えている。主部１ａと下端部１ｂとは、主部１ａが第１壁厚さｅ１を有しており、下端部１ｂが厚さｅ１よりも厚い第２厚さｅ２を有しているという点において、互いに相違している。したがって、下端部１ｂは、ガイドチューブの構造的に補強された部分を構成している。
【００２０】
場合によっては、ガイドチューブは、補強された端部に代えて、２つの主部間において補強部よりも薄い厚さとされた厚肉補強部を有することができる。
【００２１】
ガイドチューブの外径は、一定であって、主部１ａにおいても補強部１ｂにおいても同一である。
【００２２】
したがって、主部１ａの内径は、補強部１ｂの内径よりも大きい。そして、ガイドチューブ１は、部分１ａ、１ｂ間に、移行領域１ｃを有している。移行領域１ｃにおいては、ガイドチューブの内面は、傾斜角度が約１０゜の円錐部またはテーパ部により形成されている。
【００２３】
ガイドチューブの下端部における壁においては、符号３で示すような貫通孔を設けることができる。この貫通孔により、ガイドチューブに案内された吸収ロッドの投下時においてガイドチューブの下端部における原子炉冷却液体の過圧を制限することができ、クラスタの投下時において吸収ロッドのブレーキングを低減することができる。
【００２４】
ガイドチューブの下端部１ｂにおいて壁厚さをｅ２のように厚くしたことにより、ガイドチューブの下端部を補強することができ、制御クラスタの吸収ロッドの投下時における過圧や原子炉の非定常時における過圧の効果による下端部の劣化を防止することができる。しかしながら、内壁が円錐状またはテーパ状傾斜部となっている中間領域１ｃが存在していることにより、ガイドチューブ内における吸収ロッドの案内に関して、不連続性が発生する。また、中間領域は、構造的に弱い部分となり得る。
【００２５】
さらに、図１に示すガイドチューブを製造するためには、ガイドチューブの主部における壁厚さを低減させるために、つまり、ガイドチューブの主部の長さ部分における壁厚さを低減させるために、そしてその後、ガイドチューブの下部の厚肉部を内方に向けて膨径させるために、回転ハンマーリングのような成形工程を使用する必要がある。
【００２６】
そのような成形工程は、実行が困難であるとともに、比較的長い作業時間を必要とする。
【００２７】
本発明による方法においては、ピルグリムまたはピルガーローリングミルにおける圧延技術により、一体物でありかつ補強部を有したチューブを製造することができる。
【００２８】
図２には、管状ブランクからチューブを成形するためのピルグリムローリングミルの主要部分を、概略的に示している。
【００２９】
全体的に参照符号５でもって図示されたピルグリムローリングミルは、主に、それぞれの軸回りに回転可能に取り付けられるとともにスプライン付シリンダの形態とされた第１ダイ６ａおよび第２ダイ６ｂと、回転に関して対称形状を有するマンドレル７と、を備えている。
【００３０】
ダイ６ａ、６ｂは、駆動手段が設けられている可動ケージ内において、それぞれのシャフト８ａ、８ｂを介して回転可能に取り付けられている。これにより、ダイ６ａ、６ｂは、概略的に二重矢印９で示すように、マンドレル７の軸方向の両方向に一定速度で移動可能とされている。
【００３１】
ダイ６ａ、６ｂの各々は、スプラインと称される、それぞれの周縁グルーブ１０ａ、１０ｂを備えている。周縁グルーブ１０ａ、１０ｂは、ダイの径方向における断面形状が、ほぼ半円形状とされている。
【００３２】
ダイ６ａ、６ｂのグルーブ１０ａ、１０ｂの断面は、グルーブの周縁に沿って連続的に変化するような寸法を有している。断面は、グルーブの入口部において最大寸法を有しており、グルーブの出口部において最小寸法を有している。
【００３３】
ダイ６ａ、６ｂは、概略的に二重矢印９で示すようなケージの往復移動につれて、それぞれの軸回りに、両方向に回転駆動される。
【００３４】
図２に示すピルグリムローリングミルは、マンドレル７に係合した管状ブランク１１の壁の圧延を行うことができる。この場合、管状ブランクの径および壁厚さを漸次減少させ、そして、ミルの出口側において、径および壁厚さがブランク１１の径および壁厚さよりも小さなチューブ１２を得ることができる。圧延により、ブランク１１は、軸方向には、大きな延伸を受ける。
【００３５】
ブランク１１が係合しているマンドレル７は、並進移動可能にかつ軸回りに回転可能に、ロッド１３に連結されている。
【００３６】
ピルグリムローリングミル５は、さらに、クランプによりブランク１１を固定することができる搬送手段（図示せず）を備えている。搬送手段は、ピルグリムローリングミルによってもたらされる各ステップの後に、圧延方向にブランクを前進させることができる。ブランクを前進させるためのデバイスは、また、各圧延ステップの最後に、ブランクを軸回りに回転させることができる。
【００３７】
マンドレル７は、径がブランク１１の内径よりも小さな第１円柱部７ａと、長さ方向曲線が実質的に放物線形状をなす回転第２円柱部７ｂと、径が製造されるべきチューブ１２の最終内径とされたまたは最終内径に近いものとされたわずかに円錐状のまたはテーパ状の端部７ｃと、を備えている。
【００３８】
ダイ６ａ、６ｂは、マンドレル７の両側に配置されている。ダイ６ａ、６ｂには、圧延途中のブランク１１およびチューブ１２が係合する。この場合、ダイは、軸方向に移動するとともに回転し、グルーブ１０ａ、１０ｂは、略円形部を有するチューブ成形表面をなす。グルーブ１０ａ、１０ｂの断面寸法がダイの周縁に沿って連続的に変化していることにより、ケージおよびダイの変位時には、円筒状チューブ成形表面自身の寸法は、最大寸法から最小寸法までにわたって変化する。
【００３９】
ケージは、ブランクの縮径を行う領域７ｂおよびチューブ１２の径調整を行う領域７ｃに沿って、マンドレルの実質的に長さ全体にわたって、所定速度で軸方向に移動する。ブランク１１の径および厚さは、チューブ１２の径および壁厚さにまで、漸次減少する。
【００４０】
圧延ケージの各変位の最終時点において、ブランクは、軸方向に所定長さだけマンドレルに沿って前進する。そして、ブランクは、所定角度だけ軸回りに回転する。同時に、マンドレル７は、ロッド１３により、軸回りに回転する。
【００４１】
圧延は、ロッド１３およびマンドレル７上に次々とブランクを係合して、ローリングミルの出力部分に回収することにより、実質的に連続して行うことができる。
【００４２】
上記のようなピルグリム圧延法は、ガイドチューブの主部の壁厚さよりも厚い壁厚さを有した下端部を備えるガイドチューブの製造に適用することができる。
【００４３】
本発明によるガイドチューブの製造方法を実行するために、図３に示すような特別の形状とされたマンドレルを備えたピルグリムまたはピルガーローリングミルが使用される。
【００４４】
回転対称形状を有するマンドレル１４は、保持および駆動ロッドに対して、マンドレルを連結するためのネジ山付端部１５を備えている。軸方向１６においてネジ山部に連接して、マンドレルは、ガイドチューブの形成のために使用される出発ブランクの内径よりも小さな径とされた第１円柱部１７と、回転対称的に縮径しかつ長さ方向曲線が放物線形状をなすあるいは放物線に近い形状をなす部分１８、２０と、製造されるべきガイドチューブの主部または補強下端部の内径にほぼ等しい径を有するわずかに円錐状またはテーパ状とされた第３部分１９、２１と、を備えている。
【００４５】
したがって、マンドレル１７は、軸方向において、異なるガイドチューブ成形ステージをなす、複数の連続した成形部分を備えている。
【００４６】
ステップ状成形マンドレル１４は、図４Ａおよび図４Ｂに示す２つの連続するステージを通して、本発明のガイドチューブを製造するために使用される。これら２つのステージは、この順に、または、逆の順に行われる。これら２つのステージは、なるべく、チューブブランクの連続した部分において行われる。これにより、ただ１回の操作でもって、圧延製品を製造することができる。この圧延製品をカットすることにより、補強部を有するガイドチューブを、複数、得ることができる。
【００４７】
図４Ａは、管状ブランク２２の第１ピルグリム圧延ステージにおけるマンドレル１４を示している。この場合、ブランク２２の径および壁厚さは、製造されるべきガイドチューブの径および壁厚さよりも大きい。
【００４８】
ピルグリムローリングミルは、図２に示すピルグリムローリングミル５の場合に説明したダイと同様の２つのダイ１０ａ、１０ｂを備えている。
【００４９】
本発明の方法を行うために使用するものであって図４Ａおよび図４Ｂに示すピルグリムローリングミルは、図２に示す通常タイプのピルグリムローリングミルに対して、ステップ状マンドレル１４を使用することと、マンドレルの軸方向移動機構と、においてのみ、相違する。
【００５０】
ダイ１０ａ、１０ｂは、ケージ内において回転自在に取り付けられている。ケージは、マンドレル１４の軸方向１６に移動することができる。ダイ１０ａ、１０ｂは、ブランク２２の径および厚さを減少させることができる。
【００５１】
ブランク２２は、事前製造、および、ピルグリム圧延操作とすることができる成形操作によって得られたものである。
【００５２】
ブランク２２は、マンドレル１４の円柱部１７の外径よりもわずかに大きな内径、および、ガイドチューブのうちの壁厚さが最大である部分をなす下端部の壁厚さよりも大きな壁厚さを有している。
【００５３】
図４Ａに示すように、ローリングミルのケージ内において回転可能に取り付けられたダイ１０ａ、１０ｂが、マンドレル１４の部分１８、１９に沿って往復式に移動するようにして、マンドレル１４が配置されている第１圧延ステージにおいて、ピルグリム圧延がもたらされる。
【００５４】
このようにして、ローリングミルの出力部分において得られた、すなわち、マンドレル１４の領域１９の下流側において得られた、管状製品２４の内径および外径は、製造されるべきガイドチューブの主部の内径および外径に等しい。特に、マンドレル１４の部分１９は、製品２４の径調整を行うための部分をなしている。これにより、製品２４の内径は、ガイドチューブの製造のために必要とされた内径に対して正確な寸法となる。
【００５５】
ダイ１０ａ、１０ｂの寸法および構成は、ローリングミルの出力側における製品２４の外径が、ガイドチューブの製造のために必要とされる外径に正確に対応するようなものとされている。
【００５６】
第１圧延ステージは、連続した所定数の圧延ステップを行うことにより達成される。各圧延ステップの間においては、ブランク２２は、前進し、回転する。マンドレル１４も、各圧延ステップの間において、所定角度だけ回転する。
【００５７】
ピルグリムローリングミルに設けられたコーディングデバイスにより、ローリングミルの出力部において得られた製品２４の長さを、非常に正確に決定することができる。所定長さの製品がローリングミルの出力部において得られたときには、コーディングデバイスは、マンドレル１４を軸方向に移動させるための、また付加的にローリングミルを停止させるための信号を送出する。
【００５８】
図４Ｂに示すような第２圧延ステージは、実際、マンドレル１４を、ピルグリムローリングミルの上流側に向けて軸方向に移動させた後に、行われる。これにより、マンドレルの部分２０、２１を、ローリングミルの作業領域に、すなわち、ダイ１０ａ、１０ｂの変位領域に、配置することができる。
【００５９】
図４Ａに示すような第１圧延ステージを行うための位置から、図４Ｂに示すような第２圧延ステージを行うための位置への、マンドレル１４の移動は、ダイ１０ａ、１０ｂが収容されているケージを移動させずにピルグリム圧延操作を停止した状態で行うことができる。あるいは、圧延を停止させずに、ダイが収容されているケージを動かしたまま行うことができる。
【００６０】
圧延の第２ステージにおいては、ローリングミルのケージによって軸方向に移動される回転ダイが、ブランクの寸法を減少させる。この場合、ローリングミルの出力部において、すなわち、マンドレルの部分２１の下流側において、圧延管状製品２５を得ることができる。この圧延管状製品２５の内径は、マンドレルの部分２１によって径調整されていることにより、ガイドチューブの補強下端部として要求された内径に等しい。
【００６１】
製品２５の外径は、第１圧延ステージにおいて得られた製品２４の外径と同一である。というのは、使用されたダイ１０ａ、１０ｂが、圧延の第１ステージにおいて使用されたものと同じであるからである。
【００６２】
マンドレル１４は、一般に、ブランクの内径よりも小さな値から、製造されるべきガイドチューブの主部の内径に等しい値へと、断面直径が減少する第１部分と、製造されるべきガイドチューブの主部の内径に等しい値から、製造されるべきガイドチューブの下端部の内径に等しい値へと、断面直径が減少する第２部分と、を備えていなければならない。
【００６３】
したがって、ローリングミルの出力部における製品２５の壁厚さは、ガイドチューブの下端部として得られるべき壁厚さに、非常に正確に対応する。上述のように、コーディングデバイスによって、ローリングミルの出力部において製品２５の所定長さが得られた時点において、第２圧延ステージを停止させることができる。その後、マンドレルは、第２位置から第１位置へと移動する。
【００６４】
第１圧延ステージ、マンドレルの第１移動、第２圧延ステージ、および、マンドレルの第２移動は、ブランク２２の総長さの圧延に必要な回数だけ、繰り返して行うことができる。また、第１圧延ステージと第２圧延ステージの順序を交換し得ることは明白である。
【００６５】
このようにして、ピルグリムローリングミルの出力部において、製造されるべきガイドチューブの主部の内径および壁厚さに対応した内径および壁厚さを備えた部分２４と、製造されるべきガイドチューブの下端部の内径および壁厚さに対応した内径および壁厚さを備えた部分２５と、が連続して形成された圧延管状製品を得ることができる。
【００６６】
ローリングミルの出力部において得られるそのような製品が、図５に示されている。図においては、壁厚さの違いが、大いに誇張されて図示されていることに注意されたい。
【００６７】
加圧水型原子炉における燃料アセンブリのガイドチューブの製造の場合には、ガイドチューブの主部またはボディ部２４は、０．５ｍｍとすることができる厚さｅ１を有している。ガイドチューブの補強された下端部は、１．２ｍｍの程度の厚さｅ２を有している。
【００６８】
ピルグリムローリングミル上における本発明による製造方法であると、ガイドチューブの主部と補強部との間において、１８０ｍｍの程度の長さｌを有する移行領域を得ることができる。すべての場合において、移行領域のこの長さは、１００ｍｍよりも長い。ガイドチューブ自身が１２．５ｍｍの程度の直径を有していることにより、主部と補強部とにおけるガイドチューブの内径の変化は、結局、非常に緩やかなものとなる。ガイドチューブの内表面において異なる内径を有する部分どうしの間の移行領域は、傾斜部とは明瞭に相違している。このことは、本発明によるガイドチューブと、従来のガイドチューブと、における差異をなしている。
【００６９】
また、チューブ成形プロセスが連続的であることにより、金属に傷みがなく、そのため、ガイドチューブの構造的に弱い部分を形成することがないような、移行領域を得ることができる。
【００７０】
図６に示すように、ローリングミルの出力部において得られるとともに異なる壁厚さでもって連続する領域２４、２５を備えた管状製品２６は、一定の外径を有している。
【００７１】
また、領域２４、２５の長さは、所定位置においてガイドチューブ２６をカットまたは切断することによって、要求された長さおよび壁厚さを有した主部またはボディ部２７ｃと補強下端部２７ｂとを各々のガイドチューブ２７が備えた複数のガイドチューブ２７が得られるように、圧延時に設定されている。好ましくは、領域２４および２５は、それぞれ、製造されるべきガイドチューブの主部の長さの２倍、および、補強部の長さの２倍に、ほぼ等しいような長さとされている。
【００７２】
そのラインに沿ってツール２９が圧延管状製品２６のカットを連続して行うためのカットライン２８の位置の検出は、管状製品２６のうちの厚さの異なる部分どうしの間の移行領域２７ｃを正確に検出するためのデバイスを使用することにより行うことができる。管状製品２６の領域２５のうちの、１８０ｍｍ長さでありかつ厚さが第１厚さｅ１から第２厚さｅ２へと変化している移行領域２７ｃに連結している端部は、非常に正確に検出することができる。領域２５、２７ｃの端部の正確な検出は、管状製品２６の内部に軸方向に挿入されるパイプ３１とこのパイプ３１の先端に取り付けられたノズル３２とを備えて構成されたエアゲージ３０を使用して、行うことができる。エアゲージ３０により測定することができる、ノズル３２からのエアの流通特性によって、厚さｅ２を有する領域２５の端部、および、管状製品のうちの厚さが異なる部分どうしの間に位置した移行領域２７ｃの端部を、非常に正確に決定することができる。
【００７３】
カッティングディスクによって形成されたカットツール２９は、ライン２８に沿ったチューブのカットのために既に配置された位置から、所定距離だけ離間した位置に、配置される。
【００７４】
カットツール２９は、ローリングミルの出力部において、管状製品２６と同期して移動するような、浮動式カットデバイスを備えるようなツールとすることができる。
【００７５】
また、ガイドチューブに巻回されるとともに渦電流センサを備えたコイル３３を使用して、領域２５の端部の位置および移行領域２７ｃの端部の位置を、決定することもできる。
【００７６】
圧延管状製品２６の連続する領域２５および移行領域２７ｃの端部を検出することによって、管状製品２６において連続的に形成されたガイドチューブ２７、２７’、２７”を切り離すことができる。
【００７７】
ピルグリムローリングミルによって圧延された各ブランクから、４つか５つの４ｍ程度の長さとされたガイドチューブを、得ることができるような、ブランクおよびピルグリム圧延操作とすることができる。
【００７８】
また、圧延操作時にローリングミルの出力部において、ガイドチューブの形態で圧延製品をカットするために、異なる圧延ステージどうしの間におけるマンドレルの前進または後退に対して、所定の時間遅れをもって駆動される浮動式または移動式のカットデバイスを使用することができる。あるいは、上述のような移行領域の端部を検出するためのデバイスによって駆動される浮動式または移動式のカットデバイスを使用することができる。移行領域の正確な検出を行い、ローリングミルの出力部において浮動式カットデバイスによるガイドチューブのカットを行う場合には、圧延製品において厚さの異なる領域２４、２５の長さに関して、望ましくない誤差を避けることができ、単純なカットでもって、ガイドチューブを得ることができる。
【００７９】
通常と同様に、ガイドチューブの主部の壁厚さよりも大きな壁厚さを有している下端領域の長さは、ガイドチューブの総長さの１０〜３０％とされている。
【００８０】
したがって、本発明によれば、自動化が容易であって、そのため、非常に高い生産性をもたらし得る圧延プロセスによって、一体型でありかつ例えば下端部が補強されたガイドチューブを得ることができる。
【００８１】
本発明の範囲は、上記実施形態に限定されるものではないことは、理解されるであろう。
【００８２】
すなわち、ピルグリム圧延を行うためのマンドレルは、上記とは異なる形態とすることができる。
【００８３】
本発明による方法は、ジルコニウム合金とは異なる材料から構成されたガイドチューブの製造に使用することができる。
【００８４】
一般に、本発明は、制御ロッドの減速がダッシュポット効果によってもたらされるような任意のタイプの燃料アセンブリのガイドチューブの製造に適用可能である。
【符号の説明】
【００８５】
１４ マンドレル
１７ 円柱状導入部
１８ マンドレル部（マンドレルの第１部分のマンドレル部）
１９ わずかな円錐状部（マンドレルの第１部分のわずかな円錐状部）
２０ マンドレル部（マンドレルの第２部分のマンドレル部）
２１ わずかな円錐状部（マンドレルの第２部分のわずかな円錐状部）
２２ 管状ブランク
２６ 圧延管状製品
２７ ガイドチューブ
２７’ ガイドチューブ
２７” ガイドチューブ
２７ｃ 移行領域
２８ カッティングライン
２９ カットツール
３０ エアゲージ
３１ パイプ
３２ ノズル
ｅ１ 第１壁厚さ
ｅ２ 第２壁厚さ
【図１】
0005507535.tif 000002
【図３】
0005507535.tif 000003
【図４Ａ】
0005507535.tif 000004
【図４Ｂ】
0005507535.tif 000005
【図５】
0005507535.tif 000006
【図６】
0005507535.tif 000007
【図２】
0005507535.tif 000008